(57)【要約】  新生児のための使い捨ておむつ（１）であって、おむつの後端部分（２２）に接続された固定タブ(２６，３６)、及び新生児の臍帯の下に固定タブ（２６，３６）を固定するための固定配置（３４）を含み、さらに固定配置（３４）の位置を示すための手段（３５）を含む使い捨ておむつ（１）。【選択図】  図３
2007512080.tif 000002
【特許請求の範囲】
【請求項１】
縦方向及び横方向を有する新生児のための使い捨ておむつ（１）であって、上部液体透過性カバー層（２）、下部裏打ち層（４）、カバー層（２）と裏打ち層（４）の間に配置される吸収体（６）、前部横方向縁（１４）を含む使用時に前方に向けられることを意図される前端部分（２１）、使用時に後方に向けられることを意図される後端部分（２２）、及びそれらの間に配置される股部分（２３）、後端部分（２２）に接続される固定タブ（２６，３６）、及び新生児の臍帯の下に固定タブ（２６，３６）を固定するための固定配置（３４）を含み、固定配置（３４）が前部横方向縁（１４）と股部分（２３）の間の裏打ち層（４）上に配置され、固定配置（３４）が、固定配置（３４）の前縁とおむつ（１）の前部横方向縁（１４）の間の最小距離が４センチメートルを越えるように配置されるものにおいて、使い捨ておむつ（１）が固定配置（３４）の位置を示すための手段（３５）を含むことを特徴とする使い捨ておむつ（１）。
【請求項２】
固定配置（３４）を示すための手段（３５）が、固定タブ（２６，３６）が固定されるときに４〜１０センチメートル、好ましくは６〜９センチメートルの固定タブ（２６，３６）の縁（４２）からおむつ（１）の前部横方向縁（１４）までの最小距離が得られるように配置されることを特徴とする請求項１に記載の使い捨ておむつ（１）。
【請求項３】
固定配置（３４）の位置を示すための手段（３５）がカラーマーキングからなることを特徴とする請求項１又は２に記載の使い捨ておむつ（１）。
【請求項４】
カラーマーキングが裏打ち層（４）上に直接印刷されることを特徴とする請求項３に記載の使い捨ておむつ（１）。
【請求項５】
固定配置（３４）の位置を示すための手段（３５）が裏打ち層（４）のテキスチャとは視覚的に異なる表面テキスチャを有する領域からなることを特徴とする請求項１又は２に記載の使い捨ておむつ（１）。
【請求項６】
固定配置（３４）の位置を示すための手段（３５）が固定配置（３４）を構成することを特徴とする請求項１〜５のいずれかに記載の使い捨ておむつ（１）。
【請求項７】
固定配置（３４）の位置を示すための手段（３５）が余分な材料片（４０）からなることを特徴とする請求項６に記載の使い捨ておむつ（１）。
【請求項８】
余分な材料片（４０）がフック型又はループ型のタッチアンドクローズ表面を含むことを特徴とする請求項７に記載の使い捨ておむつ（１）。
【請求項９】
余分な材料片（４０）がプラスチックフィルムからなることを特徴とする請求項７に記載の使い捨ておむつ（１）。
【請求項１０】
おむつ（１）が新生児の腰のまわりに固定タブ（２６，３６）を固定するためにおむつ（１）の前部横方向縁（１４）における裏打ち層（４）上に配置される別の固定配置（３８）を含むことを特徴とする請求項１〜９のいずれかに記載の使い捨ておむつ（１）。
【発明の詳細な説明】
【技術分野】
【０００１】
本発明は新生児のための使い捨ておむつに関する。おむつは縦方向及び横方向を有し、かつ上部液体透過性カバー層、下部裏打ち層及びカバー層と裏打ち層の間に配置される吸収体を含む。おむつはまた、使用時に前方に向けられることを意図される前端部分を有し、前端部分は前部横方向縁を含む。おむつはまた、使用時に後方に向けられることを意図される後端部分、及び端部分間に配置される股部分を有する。固定タブは後端部分に接続される。固定配置は新生児の臍帯の下に固定タブを固定するために配置され、固定配置は前部横方向縁と股部分の間の裏打ち層上に配置される。この関連において、固定配置はおむつの前部横方向縁と固定配置の前縁の間の最小距離が４センチメートルを越えるように配置される。
【背景技術】
【０００２】
臍帯をまだ失っていない新生児のために特別に設計された吸収性おむつは通常、おむつの前部横方向縁に配置された切欠き又は開口を有する。この関連において、切欠き又は開口は新生児の臍帯が吸収物品と接触しないように配置される。
【０００３】
文献ＤＥ  ２９５１３１９９  Ｕ１は臍帯を自由にさせるための切欠きを伴って製造される物品を記載する。
【０００４】
特許ＵＳ  ４７６９０２３はおむつの前腰部分に除去可能な部分を与えた従来のオールインワンおむつを記載する。この関連において、領域はせん孔によって画定され、せん孔された領域はおむつの残りから分離されることができる。
【０００５】
特許ＵＳ  ４６７５０１５では、おむつは前腰部分にせん孔された十字形を与えられる。十字形のせん孔は開放して破壊されることができ、おむつを通る穴が形成される。臍帯はおむつが新生児上に適合されるときに穴を通して案内される。
【０００６】
切欠き又は開口を含むおむつの一つの問題は、臍帯がおむつによってカバーされず、それゆえ何らかの他の形の補助手段によって保護されなければならないことである。また、臍帯が新生児の衣服又はベッド又は臍帯と接触する他の場所を汚す問題もある。
【０００７】
固定タブを受けるための前部分において一つより多い固定配置を含む固定タブを有するおむつがある。この関連において、第一固定配置はおむつの前部前方向縁に隣接して配置され、他の固定配置はおむつの股部分と第一固定配置の間に配置される。おむつの有効長さ、即ちおむつの後部分に配置される固定タブと使用される固定配置の間のおむつの縦方向の距離はどの固定配置が使用されるかに依存する。最大有効おむつ長さはおむつの前部横方向縁に近い第一固定配置が使用されるときに得られ、一方最小有効おむつ長さはおむつの固定タブがおむつの股部分に隣接して配置される固定配置に固定されるときに得られる。これらのおむつは新生児の腰のまわりに固定され、種々の固定配置の目的は新生児が成長するにつれて新生児の骨盤サイズに従ったおむつのサイズに適応される。
【０００８】
特許出願ＷＯ  ９２／０９２５４はおむつの後部分に隣接して配置された固定タブを固定するためにおむつの前部分上に配置された代替固定表面を含むおむつを記載する。この関連において、第一固定表面はおむつの前部横方向縁に平行かつ隣接して配置され、第二固定表面はおむつの股部分のより近くに配置される。おむつのサイズは、第一固定表面がより大きい骨盤サイズを有する大きい新生児のために使用され、第二固定表面がより小さい骨盤サイズを有する新生児のために使用されることによって適応される。適用はまた、おむつの前部分がおむつをより短くするためにどのように横方向に折りたたまれるかを記載する。しかしながら、どの固定表面が使用されるかにかかわらず、おむつは新生児の腰のまわりに固定される。
【０００９】
様々な理由のため、多くの親は新生児がまだ臍帯を有しているしばらくの間専用のおむつを利用せずに、代わりに通常のベビー用おむつを使用する傾向がある。従って、新生児の臍帯を損傷する危険を持たないように、おむつを新生児に適合させる親はこの関連において極めて注意深く、新生児の腰のまわりに緩くしかおむつを締めない傾向がある。おむつのかかる適合は確かに、臍帯が注意深く保護されることを意味するが、おむつが新生児の脚のまわりに緩く適合することも意味し、それは糞便物及び尿がおむつから漏出する危険を増大する。
【００１０】
それゆえ臍帯をまだ失っていない新生児のために良好に機能するおむつの必要性がなお存在する。
【発明の開示】
【００１１】
しかしながら、本発明によれば、従来公知のかかる使い捨ておむつに関連した問題を本質的に除去する、冒頭に言及した種類の使い捨ておむつが製造される。
【００１２】
この関連において、本発明に従って作られた新生児のための使い捨ておむつは主に、使い捨ておむつが固定配置の位置を示すための手段を含むことを特徴とする。
【００１３】
使い捨ておむつの一実施態様によれば、固定配置を示すための手段は固定タブが固定されるときに４〜１０センチメートル、好ましくは６〜９センチメートルの固定タブの縁からおむつの前部横方向縁までの最小距離が得られるように配置される。
【００１４】
使い捨ておむつの別の実施態様によれば、固定配置の位置を示すための手段はカラーマーキングからなる。
【００１５】
別の実施態様によれば、カラーマーキングは裏打ち層上に直接印刷される。
【００１６】
さらなる実施態様によれば、固定配置の位置を示すための手段は裏打ち層のテキスチャとは視覚的に異なる表面テキスチャを有する領域からなる。
【００１７】
使い捨ておむつの別の実施態様によれば、固定配置の位置を示すための手段は固定配置自身からなる。
【００１８】
使い捨ておむつの一実施態様によれば、固定配置の位置を示すための手段は余分の別個の材料片からなる。
【００１９】
使い捨ておむつの一実施態様によれば、余分の材料片はフック型（即ち、何らかの型のフック要素を有する）又はループ型（即ち、何らかの型のループ要素を有する）のタッチアンドクローズ表面を含む。
【００２０】
別の実施態様によれば、余分の材料片はプラスチックフィルムからなる。
【００２１】
一実施態様によれば、おむつは新生児の腰のまわりに固定タブを固定するためにおむつの前部横方向縁において裏打ち層上に配置された第二固定配置を含む。
【００２２】
図面の簡単な記述
本発明は添付図面に示された図面を参照して以下により詳細に記載されるだろう。
図１は使用時に装着者に面することを意図される側から広げられた状態で本発明による第二受容領域を示すための手段を含む使い捨ておむつを示す。
図２は使用時に装着者から離れて面することを意図される側から広げられた状態で本発明による第二受容領域を示すための手段を含む使い捨ておむつを示す。
図３は臍帯を失った新生児への適合時の本発明の一実施態様による使い捨ておむつを示す。
図４は臍帯を失っていない新生児への適合時の本発明の一実施態様による使い捨ておむつを示す。
図５は臍帯を失っていない新生児への適合時の本発明の一実施態様による使い捨ておむつを示す。
【発明を実施するための最良の形態】
【００２３】
図に示された新生児のためのベビー用おむつはおむつ１の固定タブ２６を固定するためにおむつ１の前端部分２１上に固定配置３４を含む固定システムを含む。固定配置３４はまだ臍帯を失っていない新生児のために特別に適応されている。
【００２４】
図１及び図２に示された第一実施態様はまだ臍帯を失っていない新生児及び少し大きく成長し臍帯を失った新生児の両方に対して好適なベビー用おむつ１に関する。この関連において、おむつ１は二つの固定配置３４，３８を含み、一方の固定配置３８は新生児の腰のまわりにおむつ１を固定するために意図され、他方の固定配置３４は新生児の腰の下におむつ１を固定するために意図される。
【００２５】
本発明は最大６キログラム、好ましくは３〜６キログラムの体重を有する新生児のためのおむつ１に関する。それゆえ、おむつ１は４０センチメートル未満の全長を有する。
【００２６】
おむつ１は本質的に砂時計形状であり、この関連において縦方向縁１２，１３、前部横方向縁１４及び後部横方向縁１５、さらに前及び後端部分２１，２２及びそれらの端部分２１，２２の間に配置された狭い股部分２３を有する。使用中、股部分２３は新生児の太ももの間の最も狭い領域に配置されることを意図される。
【００２７】
おむつ１の使用中、股部分２３の前部及び前端部分２１は主に尿のための受容領域として機能し、一方股部分２３の後部及び後端部分２２は主に糞便物のための受容領域として機能する。
【００２８】
ベビー用おむつ１は使用時に新生児に面することを意図されるおむつ１の表面上に配置された液体透過性カバー層２、及び使用時に新生児から離れて面することを意図されるおむつ１の表面上に配置された裏打ち層４、液体透過性カバー層２と裏打ち層４の間に封入された吸収体６、及び吸収体６の外側に配置された側部フラップ３を含む。
【００２９】
液体透過性カバー層２は吸収体６の全周囲に沿って吸収体６の外側に延びる。液体透過性カバー層２は目的のために好適ないかなる材料からもなることができる。一般的な液体透過性カバー材料の例は不織繊維材料、有孔プラスチックフィルム、プラスチック又は繊維から作られたネット、及び液体透過性フォーム層である。物品の主に縦方向又は横方向に延びる連続した細い繊維からなる液体透過性カバー材料も存在する。上述の可能なカバー材料の二つ以上からなる積層体も表面の異なる部分内に異なる材料からなるカバーのように一般的である。
【００３０】
特に高い強度及び耐摩耗性を有する吸収体６を含む使い捨ておむつ１は使用時に新生児に面するおむつの側上に余分の液体透過性カバー層を要求せずに機能することさえ可能である。
【００３１】
裏打ち層４は吸収体６に対して配置された液体不透過性プラスチックフィルム３２、及びおむつ１の使用時におむつ１の外側がより布状であるように吸収体６から離れて配置された不織層３３を含む積層体３１からなる。裏打ち層４は吸収体６の全周囲に沿って吸収体６の外側に延びる。
【００３２】
吸収物品上の裏打ち層４は通常、液体不透過性プラスチックフィルム又は液体不透過性プラスチックフィルムを含む積層体からなるが、他のタイプの液体不透過性裏打ち層も見出される。液体不透過性材料の代替タイプの例は液体不透過性にされた不織材料、液体不透過性フォーム層、液体不透過性接着剤などである。また、裏打ち層４が蒸気透過性プラスチックフィルム、又は液体バリヤーとして蒸気透過性プラスチックフィルムを含む積層体からなることも今日一般的である。蒸気透過性プラスチックフィルムはもちろん、吸収体からの液体の透過を防止するために液体不透過性でなければならない。
【００３３】
おむつ１の裏打ち層４が記載された実施態様のように不織層３３を含むとき、不織層３３は雄型（即ち、何らかの型のフック要素）のタッチアンドクローズ材料のための受容材料としても機能するように設計されることができる。この関連において、不織層３３は閉じられたループなどを含む。
【００３４】
代替実施態様では、不織層３３は雄型のタッチアンドクローズ材料と相互作用できないように設計されることができ、特別な受容材料はそのとき不織層３３上に配置されなければならない。
【００３５】
液体透過性カバー層２及び裏打ち層４は吸収体６の全周囲に沿って吸収体６の外側で相互接続される。層２，４は多数の異なる方法で相互接続されることができる。一般的な接続方法の例は、接着、熱溶接、超音波溶接などである。
【００３６】
弾性手段５は本質的におむつ１の縦方向に走る使い捨ておむつ１の側部フラップ３の部分に吸収体６の外側に配置される。弾性手段５は脚弾性体として機能し、液体及び糞便が縦方向に走る側縁１２，１３を通って漏出することを防止する役割を有し、このようにして周囲の層とともに外部液体バリヤー８を形成する。弾性手段５は少なくともおむつ１の股部分２３において、液体透過性カバー層２と裏打ち層４の間に延伸された状態で適用された一つ以上の弾性糸からなる。弾性手段５は接着、超音波溶接などによって裏打ち層４及びカバー層２に接続される。
【００３７】
代替実施態様では、弾性手段は使用時に装着者に面することを意図される側部フラップ３の側上、又は側部フラップの反対側上に配置されることができ、そのときもちろんカバー層２又は裏打ち層４にのみそれぞれ接続される。
【００３８】
代替実施態様では、弾性手段は例えばフォーム材料から作られた弾性バンド材料からなることができる。
【００３９】
砂時計形状の吸収体６はセルロース毛羽パルプの一つ以上の層から構成されることができる。この関連において、セルロース毛羽パルプは吸収時に液体含有ゲルを形成しながら多量の液体に化学的に結合する種類の高吸収ポリマー材料の繊維又は粒子と混合されることができる。吸収体６はまた、吸収体の内側の層に又は吸収体の表面に隣接して配置された高吸収ポリマー材料を含むことができる。吸収体６はまた、吸収体６の特性を改良するためのさらなる成分を含むことができる。かかる成分の例は結合繊維、様々なタイプの液体分散層又は繊維、形状安定成分、補強繊維などである。吸収体６はもちろん、吸収性不織材料、吸収性フォーム、繊維材料、ピート又は様々な種類の吸収材料の混合物の如き他のタイプの吸収材料からなることもできる。
【００４０】
多量の液体を迅速に受容し、かつこの液体を一時的に保持して貯蔵された液体を次に吸収体６の他の部分に輸送するための特別な層もまた、示されたタイプのおむつに含めることができる。かかる受容層はそのときベビー用おむつ１の吸収体６と液体透過性カバー層２の間に通常配置される。図のいずれにも受容層は示されていない。
【００４１】
液体又は糞便物がベビー用おむつ１の側縁１２，１３を越えて漏出することをさらに防止するために、おむつ１は使用時に新生児に面することを意図される側上に内側漏出バリヤー９を与えられる。内側漏出バリヤー９は吸収体６の縦方向縁１０に隣接して配置され、本質的におむつ１の縦方向に延びる。側部漏出バリヤー９は二つに折りたたまれた別個の材料ストリップから作られ、折りたたみ縁７は内側漏出バリヤー９の山の背を構成する。二つに折りたたまれた材料ストリップの各脚はカバー層２に固定され、内側漏出バリヤーの固定された縁１９を構成する。
【００４２】
ベビー用おむつ１の前端部分２１及び後端部分２２では、内側漏出バリヤー９は下に折りたたまれ、それらの全幅にわたってカバー層２に接続される。
【００４３】
内側漏出バリヤー９は予め緊張された状態で内側漏出バリヤー９に接続された弾性要素２４を含む。弾性要素２４は内側漏出バリヤー９の自由な固定されていない縁に隣接して配置されることが好ましい。予め緊張された弾性要素２４が解放されるとき、それらは内側漏出バリヤー９の自由縁とともに収縮し、内側漏出バリヤー９はおむつ１の股部分２３において液体透過性カバー層２から離れて直立した構成にもたらされ、そこで内側漏出バリヤー９はそれらの各自由縁においてのみカバー層２に接続される。
【００４４】
ベビー用おむつ１の後及び／又は前端部分２２，２１はまた、おむつが装着者の腰を優しくかつ柔軟に包囲するようにおむつ１の前部横方向縁１４及び／又は後部横方向縁１５に沿って配置された弾性手段からなる腰弾性体２５として知られるものを与えられることができる。本図示態様では、おむつ１の後端部分２２だけが、裏打ち層４と液体透過性表面層２の間に接着剤によって付着される弾性フォーム材料の薄いストリップの形の腰弾性体２５を与えられる。腰弾性体２５は装着者の腰のまわりでおむつ１を伸張する保持力をもたらすために層間に伸張状態で適用される。
【００４５】
後端部分２２上に配置されるのは新生児の腰のまわりにベビー用おむつ１を固定するための二つの柔らかい非弾性固定タブ２６であり、一つの固定タブ２６はこの関連において後端部分２２の各側部分上に配置される。固定タブ２６は極めて柔らかい非弾性材料から、例えば単一の不織層又は積層体から作られることが好適である。使用中、固定タブ２６は後端部分２２を前端部分２１に接続する。
【００４６】
固定タブ２６は固定要素２７を含み、固定要素２７はタッチアンドクローズ材料の雄部からなり、接着剤などによって固定タブ２６に取り付けられることが好ましい。固定要素２７はこの関連において使用時に新生児から離れて面する前端部分２１上のその表面に面する各固定タブ２６の側上に配置される。代替実施態様では、固定タブ２６は弾性であることができる。
【００４７】
固定タブ２６は縦方向に走る側縁１２，１３に横たわる後端部分２２の領域に位置される接続領域３０において後端部分２２に接続される。接続領域３０は相互接続される後端部分２２の部分及び固定タブ２６の部分からなる。代替実施態様では、固定タブ２６の固定要素２７はタッチアンドクローズ材料の雌部、感圧性接着剤などからなることができる。
【００４８】
おむつ１が新生児の腰のまわりに適合されるとき、後端部分２２は固定タブ２６の固定要素２７を前端部分２１に接続することによって前端部分２１に相互接続される。おむつ１は第一実施態様によれば、雄型のタッチアンドクローズ材料のための受容層として機能する不織層３３を含む裏打ち層４を有するので、固定要素２７はおむつ１の裏打ち層４にどこにも付着されることができる。
【００４９】
おむつ１の裏打ち層４が固定タブ２６の固定要素２７と相互作用するように適応されない代替実施態様について、一つ以上の特別な固定配置３４，３８は前端部分２１においておむつ１の裏打ち層４上に配置される。この関連において、特別は固定配置３４，３８は好適な形状及びサイズの別個の材料片からなり、材料片は固定タブ２６の固定要素２７に接続されることができる材料からなる。別個の材料片は接着、熱溶接、超音波溶接などによって裏打ち層４に適用される。前端部分上の固定配置３４，３８の位置付け及び数は変化しうるが、新生児の腰のまわりにおむつを固定するための矩形の固定配置３８がおむつ１の前部横方向縁１４に平行かつ隣接して配置されることが最も普通であり、固定配置３８はおむつ１の全幅にわたって延びる。
【００５０】
腰固定のための固定配置３８が前端部分２１に配置された二つの受容表面からなるおむつ１の変形例も見出される。受容表面はそのときおむつのそれぞれの前部コーナに、即ちおむつの前部横方向縁１４及びそれぞれの縦方向縁１２，１３に隣接して配置される。
【００５１】
接着剤タイプの固定要素２７を含むおむつ１はプラスチック表面などの接着剤固定要素２７を受容するために好適である固定配置３４，３８を含む。固定配置３４，３８はそのとき通常、接着、熱溶接、超音波溶接などによって好適な配置で裏打ち層４に適用された好適な形状及びサイズのプラスチックフィルムの別個の材料片からなる。
【００５２】
また、接着剤固定要素２７を備えたおむつ１はプラスチックフィルムなどだけからなる裏打ち層４を有することが一般的である；接着剤固定要素２７はそのとき裏打ち層４上のいずれかにおむつ１の裏打ち層４に直接取り付けられることができる。これらのおむつ１は原則として固定タブ２６のための莫大な数の受容表面を持つ。
【００５３】
おむつ１がまだ臍帯を失っていない新生児に適合されるとき、新生児の臍帯の保護と新生児へのおむつ１の満足のいく適合の間の対立が存在することが多い。新生児へのおむつ１の満足のいく適合はおむつ１の最適な適合が得られるようにおむつ１が正確に適合するために重要である。正確に位置付けられたおむつ１は特に、吸収体が新生児の尿開口及び肛門に対して正確に位置されることを意味する。正確に位置付けられたおむつ１はまた、その外側及び内側漏出バリヤー８，９が尿及び糞便物がバリヤーを通過して漏出を起こす間隙及びしわを最小にして新生児の身体に対して正確な位置をとることを意味する。満足のいく固定を達成するのに重要な要素は新生児の腰のまわりでおむつ１を十分にしっかりと締めることである。
【００５４】
他方、臍帯の保護は、臍帯に対する圧力が大きすぎないように新生児の腰のまわりでおむつ１をあまりしっかりと締めすぎないようにすべきであることを意味する。しばらく使用された後、新生児の腰のまわりに緩く固定されたおむつ１は新生児の身体上に不正確に位置されていることが多く、それは上述の利点がないことを意味する。また、十分にしっかりと締められなかったおむつの腰開口を介して尿及び糞便物を漏出する危険もかなり増大する。
【００５５】
それにもかかわらず、試験はおむつ１の満足のいく固定及び臍帯の保護の両方を達成できることを示し、それは新生児の少数の親も発見したようである。
【００５６】
臍帯を失っていない新生児へおむつ１を固定するための原理はおむつの股部分２３にかなり近い前端部分２１上に位置される固定配置３４におむつ１の固定タブ２６を取り付けることに基く。この関連において、固定タブ２６は固定が新生児の臍帯の下にあるように股部分２３の極めて近くに固定されている；おむつ１はそのとき通常、新生児のまわりで締められることができる。新生児のまわりのおむつ１の通常の締め付けは、臍帯に対する過剰な圧力を生じずに、新生児の身体に対する吸収体６の正確な位置付け、及びバリヤー８，９の十分な機能発現を意味する。
【００５７】
固定配置３４は４〜１０ｃｍ、好ましくは６〜９ｃｍのおむつ１の前部横方向縁１４からの距離で配置されるべきである。おむつ１がこのように固定されるとき、おむつ１の前部、即ち固定配置３４と前部横方向縁１４の間の部分は軽い圧力だけで新生児の臍帯及び腹部に対して支持するだろう。おむつ１の前部はそのとき、臍帯のための保護として機能し、尿又は糞便物は臍帯に到達することを防止される。おむつ１の前部はまた、周囲の衣服及び寝具を汚す新生児の臍帯に対する保護として機能するだろう。
【００５８】
少数の親は、この代替法によるおむつ１を新生児に固定することが都合が良く、従って上記利点を達成することを発見した。
【００５９】
おむつ１が裏打ち層４の表面上のいずれかに固定タブ２６の固定要素２７を直接固定できる裏打ち層４を有することが、試験に使用され、記載された代替法でおむつを固定することを発見した親によって使用されたおむつ１の一般的な特徴である。この関連において、おむつ１は雄型のタッチアンドクローズ材料から作られた固定タブ２６上に固定要素２７を与えられ、固定要素２７を固定することができるループを含む不織層３３を含む裏打ち層４を与えられた。あるいは、おむつ１は裏打ち層４としてプラスチックフィルム及び接着剤固定要素２７を含む固定タブを与えられた。
【００６０】
本発明によるベビー用おむつ１は主に、それが固定配置３４を示すための手段３５を含むことを特徴とする。
【００６１】
上記おむつ１を固定する方法は新生児がまだ臍帯を持っている短い時間の間だけ適切であるので、このようにしておむつを固定する可能性を見て試験する親は少数にすぎない。それゆえ、臍帯が保護されるように、そして漏出防止性に関する限り機能が維持されるように、新しい親はおむつ１を固定する可能性の視覚的信号を与えられることが重要である。本発明によれば、信号はおむつ１上の固定配置３４の位置のおむつの裏打ち層４上の表示の形で親に与えられる。
【００６２】
図２及び３では、固定配置３４を示すための手段３５は本質的におむつ１の全幅にわたって、おむつ１の横方向に延びる楕円のカラーマーキングからなる。
【００６３】
また、別の方法で固定配置３４を示すための手段３５を設計することも考えられる；考えられるデザインは例えば文字の線、記号、代替第二固定配置３４に配置された特別な材料層などである。
【００６４】
別の可能な実施態様は固定配置３４を示すための手段３５が固定タブ２６の固定要素２７のために特に好適な受容材料を構成する可視材料層からなることである。例えば、もし固定要素２７がタッチアンドクローズ型のものであるなら明瞭な可視タッチアンドクローズ材料を、もし固定要素が接着剤固定要素２７であるなら明瞭な可視プラスチックフィルムを選択することが好適である。これらのタイプの固定配置３４を示すための手段３５は主に、おむつ１の裏打ち層４に直接固定できない固定要素２７を含むおむつのために好適である。
【００６５】
かかるおむつはまた、従来の腰固定のための特別な受容材料を含み、固定タブ２６はおむつ１の前部横方向縁１４に隣接しておむつ１の前端部分２１に固定される。
【００６６】
図３は臍帯を失った新生児の腰のまわりに適合されているときのおむつ１を示し、おむつ１の後端部分２２はおむつ１の前部横方向縁１４の近くの前端部分２１に接続される。この点に関して、一方の側上の固定タブ３６はおむつ１の前端部分２１に既に接続され、他方の側上の固定タブ２６はおむつの前端部分２１にまだ固定されていない。
【００６７】
おむつ１の裏打ち層４は液体不透過性プラスチックフィルムからなる。固定タブ２６，３６の固定要素２７は裏打ち層４のいずれかに取り付けられることができる接着剤表面からなり、おむつ１は前部横方向縁１４に隣接して固定配置３８の視覚的表示を全く持たない。固定配置３４の位置は代わりに、楕円のカラー表面３７によって示され、それはおむつの全幅を横切って延び、かつ固定配置３４を示すための手段３５を構成する。楕円のカラー表面３７はカラープラスチックストリップ４０からなる。代替実施態様では、カラー楕円表面３７は裏打ち層４などの上に直接印刷されるカラーからなることができる。楕円表面３７の全体は必ずしも着色される必要はないが、表面３７の外側境界線だけが示されれば十分でありうる。装飾パターンなども楕円表面３７を視覚的に示すために考えられる。カラー楕円表面３７は１０ｃｍ、好ましくは６〜９ｃｍのおむつ１の前部横方向縁１４からの距離で配置される。
【００６８】
図４はまだ臍帯を持っている新生児に適合させるときのおむつ１の代替実施態様を示す。この関連において、今まで後端部分２２がおむつ１の一方の側上の前端部分２１に接続され、固定タブ３６が前端部分２１に接続された適合が進められている。この点に関して、固定タブ３６は固定タブ３６の縁４２、即ちおむつ１の前部横方向縁１４の方に向けられる縁４２がおむつ１の縦方向においておむつ１の前部横方向縁１４から４センチメートルの最小距離を有するように前端部分２１に接続されている。この点に関して、最小距離は固定タブ上においてその自由端４３から０．５センチメートルに位置される固定タブ３６の縁４２上の点から測定される。
【００６９】
他方の側上の固定タブ２６はおむつの前端部分２１にまだ固定されていない。
【００７０】
新生児がまだ臍帯を失っていないとき、固定タブ３６は臍帯を保護するために、腰固定のためのおむつ１の固定配置３８と股部分２３の間に配置されるおむつ１の固定配置３４に固定される。まだ固定されない他方の固定タブ２６は次の適合段階において第二の代替固定配置３４に固定されるだろう。
【００７１】
おむつ１の裏打ち層４はおむつ１の外側上に配置された不織層３３を含む積層体３１からなる。不織層３３は固定タブ２６，３６の固定要素２７が不織層３３に直接固定されることができるようには設計されない。その理由のため特別な受容表面３９，４０がおむつ１の裏打ち層４上に配置される。
【００７２】
一つの受容表面３９はおむつ１の前部横方向縁１４に平行かつ隣接して配置され、臍帯を既に失った新生児へのおむつ１の従来の固定のために意図される。受容表面３９はおむつ１の全幅にわたって延びる。
【００７３】
おむつ１の代替固定配置３４は二つの受容表面４０を含み、一方の受容表面４０は一方の固定タブ３６に接続されるように配置され、他方の受容表面４０は他方の固定タブ２６に接続されるように配置される。受容表面３９，４０は雌型のタッチアンドクローズ材料の別個の材料ストリップ４１からなる。受容表面４０は各縦方向縁１２，１３からおむつ１の縦方向中央線に向かって延びる。固定タブ２６，３６の固定要素２７は雄型のタッチアンドクローズ材料からなる。材料ストリップ４１は目に見えることができ、それゆえ代替固定配置３４を示すための手段３５も構成する。
【００７４】
固定配置３４を示すための手段３５をより一層目に見えるものにするために、裏打ち層４とは異なる色のタッチアンドクローズ材料などの材料ストリップ４１を選択することもできる。
【００７５】
図５はまだ臍帯を持っている新生児に適合されるときのおむつ１の別の代替実施態様を示す。
【００７６】
この関連において、今まで後端部分２２がおむつ１の一方の側上で前端部分２１に接続され、固定タブ３６が前端部分２１に接続された適合が進められている。この点について、固定タブ３６は固定タブ３６の縁４２、即ちおむつ１の前部横方向縁１４の方に向けられる縁４２がおむつ１の縦方向においておむつ１の前部横方向縁１４から４センチメートルの最小距離を有するように前端部分２１に接続されている。この点に関して、最小距離は固定タブ３６上においてその自由端４３から０．５センチメートルに位置される固定タブ３６の縁４２上の点から測定される。他方の側上の固定タブ２６はおむつの前端部分２１にまだ固定されていない。
【００７７】
新生児がまだ臍帯を失っていないとき、固定タブ３６は臍帯を保護するために、腰固定のためのおむつ１の固定配置３８と股部分２３の間に配置されるおむつ１の固定配置３４に固定される。まだ固定されない他方の固定タブ２６は次の適合段階において第二の代替固定配置３４に固定されるだろう。
【００７８】
おむつ１の裏打ち層４はおむつ１の外側上に配置される不織層３３を含む積層体３１からなる。不織層３３は固定タブ２６，３６の固定要素２７が不織層３３に直接そのいずれかの上に固定されることができるように設計される。それゆえおむつ１の裏打ち層４は固定タブ２６，３６のための受容表面を特別に配置されない。
【００７９】
おむつは前部横方向縁１４に隣接して腰固定のための固定配置３８の視覚的表示のための手段を全く持たない。他方、まだ臍帯を持っている新生児におむつ１を固定するための固定配置３４はこの固定配置を示すための手段３５を有する。この関連において、固定配置３４の位置を示すための手段３５は裏打ち層４に対して異なる色を有する楕円表面４５からなる。楕円表面４５はおむつ１の縦方向対称線のまわりに本質的に対称に配置され、楕円表面４５の最大範囲はおむつ１の横方向にある。
【００８０】
円又は丸められた角を有する矩形の如き表示表面の代替形状ももちろん考えられる。
【００８１】
楕円表示表面はおむつ１の裏打ち層４を構成する積層体３１の最外部を構成する不織層３３の下に適用される別個の楕円カラー材料からなる。楕円材料片４６の色の強さはそれが相対的に透明な不織層３３を通して見ることができるように選択される。
【００８２】
新生児がまだ臍帯を持っているときにおむつ１の前端部分２１のこの領域におむつ１の固定タブ２６，３６を取り付けることが好適であることをさらに明確にする文字４７の線はまた、不織層３３を通して見ることができる別の色で楕円材料片４６上に印刷されている。
【００８３】
おむつ１の前部横方向縁１４と楕円材料片４６の間の最小距離Ｗは４〜１０センチメートル、好ましくは６〜９センチメートルである。この関連において、距離は前部横方向縁１４から最小の垂直距離を有する楕円材料片４６の周囲上の点から測定される。距離はおむつ１が図１及び２に示されているもののように平面に延ばされた状態にあるときに測定される。
【００８４】
本発明はまた、記載された図示実施態様の全ての考えられる組み合わせを含む。
【００８５】
さらに、本発明は上の図示実施態様に限定されず、もちろん特許請求の範囲内で他の実施態様に適用されることができる。
【図面の簡単な説明】
【００８６】
【図１】使用時に装着者に面することを意図される側から広げられた状態で本発明による第二受容領域を示すための手段を含む使い捨ておむつを示す。
【図２】使用時に装着者から離れて面することを意図される側から広げられた状態で本発明による第二受容領域を示すための手段を含む使い捨ておむつを示す。
【図３】臍帯を失った新生児への適合時の本発明の一実施態様による使い捨ておむつを示す。
【図４】臍帯を失っていない新生児への適合時の本発明の一実施態様による使い捨ておむつを示す。
【図５】臍帯を失っていない新生児への適合時の本発明の一実施態様による使い捨ておむつを示す。
【図１】
2007512080.tif 000003
【図２】
2007512080.tif 000004
【図３】
2007512080.tif 000005
【図４】
2007512080.tif 000006
【図５】
2007512080.tif 000007
【国際調査報告】
2007512080.tif 000008
2007512080.tif 000009
2007512080.tif 000010